(57)【要約】      （修正有）【課題】断熱や結露の防止機能を保持した上で、直射日光や外気温による熱変形を抑制でき、建具の構造的な不具合を防止すると共に、良好なデザインを長期にわたって維持できる建具を提供する。【解決手段】建具Ａは、枠１と、樹脂製の押縁２と、パネルＰと、金属製のカバー材３とを備え、押縁は、枠に支持されたパネルの屋外側の見付面Ｐ３と対面するように枠の屋外側に配置され、カバー材は、押縁の屋外側の見付面２０およびパネル側の見込面Ｐ２を覆うように配置されていることを特徴とする。【選択図】図３
2020197073.tif 000002
【特許請求の範囲】
【請求項１】
枠と、樹脂製の押縁と、パネルと、金属製のカバー材とを備え、押縁は、枠に支持されたパネルの屋外側の見付面と対面するように枠の屋外側に配置され、カバー材は、押縁の屋外側の見付面およびパネル側の見込面を覆うように配置されていることを特徴とする建具。
【請求項２】
框と、樹脂製の押縁と、パネルと、金属製のカバー材とを備え、押縁は、框に支持されたパネルの屋外側の見付面と対面するように框の屋外側に配置され、カバー材は、押縁の屋外側の見付面およびパネル側の見込面を覆うように配置されていることを特徴とする建具。
【発明の詳細な説明】
【技術分野】
【０００１】
本発明は、躯体の開口に設けられる各種窓やドア等の建具に関する。
【背景技術】
【０００２】
躯体の開口に設けられる建具は、ＦＩＸ窓、サッシ、ドアが知られている。このような建具は、断熱や結露の防止等の観点から、下記非特許文献１に記載されているように、樹脂製の枠又は框、押縁を用いたものが提案されている。
【先行技術文献】
【非特許文献】
【０００３】
【非特許文献１】三協立山株式会社のＷＥＢカタログ。［平成３１年４月１９日検索]、インターネット＜ＵＲＬ：http：//apps.st-grp.co.jp/iportal/CatalogViewInterfaceStartUpAction.do?method=startUp&mode=PAGE&catalogCategoryId=&catalogId=12881340000&pageGroupId=1&volumeID=STAWC001&keyword=%E3%82%B9%E3%83%9E%E3%83%BC%E3%82%B8%E3%83%A5&categoryID=&sortKey=&sortOrder=&designID=WCAT001&designConfirmFlg=＞
【発明の概要】
【発明が解決しようとする課題】
【０００４】
樹脂製の枠又は框、押縁を用いた建具は、断熱や結露の防止について高い効果を有する一方、直射日光や外気温の上昇によって熱変形が生じ、この熱変形による構造的な不具合の発生や外観デザインを損なう等の問題が生じていた。特に、押縁は、枠や框に比べて構造的に熱変形しやすく、この熱変形により、枠や框に対する嵌合が外れてしまうという問題が生じる。このことから、断熱や結露の防止機能を保持した上で、直射日光や外気温による押縁の熱変形を抑制でき、建具の構造的な不具合を防止できると共に、良好なデザインを長期にわたって維持できる建具が求められていた。
【課題を解決するための手段】
【０００５】
前述の課題を解決するために請求項１記載による建具は、枠と、樹脂製の押縁と、パネルと、金属製のカバー材とを備え、押縁は、枠に支持されたパネルの屋外側の見付面と対面するように枠の屋外側に配置され、カバー材は、押縁の屋外側の見付面およびパネル側の見込面を覆うように配置されていることを特徴とする。
【０００６】
また、請求項２記載による建具は、框と、樹脂製の押縁と、パネルと、金属製のカバー材とを備え、押縁は、框に支持されたパネルの屋外側の見付面と対面するように框の屋外側に配置され、カバー材は、押縁の屋外側の見付面およびパネル側の見込面を覆うように配置されていることを特徴とする。
【発明の効果】
【０００７】
本発明は、以上の構成により、断熱や結露の防止機能を保持した上で、直射日光や外気温による熱変形を抑制でき、建具の構造的な不具合を防止すると共に、良好なデザインを長期にわたって維持できる建具を提供できる。
【図面の簡単な説明】
【０００８】
【図１】本発明に係る実施形態の建具の正面図である。
【図２】図１の要部拡大図である。
【図３】図２の（３) -（３）線断面図である。
【図４】第１の変形例のカバー材を実施した建具の断面図である。
【図５】第２の変形例のカバー材を実施した建具の断面図である。
【図６】第３の変形例のカバー材を実施した建具の断面図である。
【図７】建具の変形例を示す正面図である。
【図８】図７の要部拡大図である。
【図９】図８の（９) -（９）線断面図である。
【図１０】コーナーカバーの取付けを説明する斜視図である。
【図１１】（ａ）〜（ｄ）は、コーナーカバーの形態を説明する斜視図である。
【発明を実施するための形態】
【０００９】
以下、図面を参照して本発明に係る実施形態の建具Ａを説明する。以下の説明で、異なる図における同一符号は同一機能の部位を示しており、各図における重複説明は適宜省略する。本発明でいう「枠」とは、躯体の開口に対して直接固定される部材を意味する。
【００１０】
この「枠」を用いた建具として、例えば、ＦＩＸ窓やサッシ、更にはドア等が挙げられる。また、「框」とは、サッシのように「枠」に対して開閉自在に配される障子を構成する部材を意味する。
【００１１】
本明細書では、建具について「枠」を用いたＦＩＸ窓として説明するが、「枠」を用いた建具と「框」を用いた障子等の建具とは、「枠（竪枠、横枠）」と「押縁（竪押縁、横押縁）」とで「パネル」を支持する構造および「框（竪框、横框）」と「押縁（竪押縁、横押縁）」とで「パネル」を支持する構造という、基本的な構造について共通するものであるので、「框」を用いた建具の説明については省略する。  
【００１２】
［建具の構成］
本実施形態で示す建具Ａは、図１〜図３に示すように躯体Ｂの開口Ｂ１に設けられるＦＩＸ窓であり、ガラス製のパネルＰを樹脂製の枠１および押縁２で支持したものである。建具Ａは、屋外側に押縁２を装着した外押縁タイプのものであり、この押縁２の屋外側の面を覆う金属製のカバー材３が装着されている。
【００１３】
［枠の構成］
枠１は、図１〜図３に示すように、パネルＰの左右を支持する竪枠１ａと、パネルＰの上下を支持する横枠１ｂとを連結して構成されており、屋外側に水切り部１ｃを有すると共に、屋外側から嵌め込まれるパネルＰの屋内側の見付面Ｐ１を、ビード１００を介して支持する支持面部１ｄと、パネルＰの見込面Ｐ２をセッティングブロック１０１を介して支持する支持縁部１ｅを備えている。竪枠１ａと横枠１ｂとは、同じ構成として形成されたものであり、それぞれに、水切り部１ｃおよび支持面部１ｄ並びに支持縁部１ｅを有し、両端がコーナー部Ａ１において留切り構造として突き合わさるように斜めに切断して形成されている。
【００１４】
［押縁の構成］
押縁２は、図３に示すように、同じ断面構造として形成された竪押縁２ａと横押縁２ｂとで構成されており、竪押縁２ａを竪枠１ａに嵌め込むと共に、横押縁２ｂを横枠１ｂに嵌め込むことで装着され、パネルＰの屋外側の見付面Ｐ３を支持するように配置されている。
【００１５】
竪押縁２ａと横押縁２ｂは、図３に示すように、竪枠１ａおよび横枠１ｂの屋外側に形成された嵌合凹部１ｆに嵌合される嵌合凸部２ｃを竪押縁２ａと横押縁２ｂの外周側に備えていると共に、パネルＰの屋外側の見付面Ｐ３に密着するように設けられたヒレ部２ｄを備えている。また、竪押縁２ａおよび横押縁２ｂは、図１および図２に示すように、両端がコーナー部Ａ１において留切り構造として突き合わさるように斜めに切断して形成されている。ヒレ部２ｄは、竪押縁２ａおよび横押縁２ｂよりも軟質な樹脂材を用いて形成されており、見付面Ｐ３に接触したときに弾性変形し、変形から復帰するときの反発力が作用することによって、見付面Ｐ３への密着力を高めるようにされている。
【００１６】
［カバー材の構成］
カバー材３は、図１〜図３に示すように、押縁２の竪押縁２ａに配される竪カバー材３ａおよび横押縁２ｂに配される横カバー材３ｂとで構成されている。
【００１７】
竪カバー材３ａおよび横カバー材３ｂは、図１〜図３に示すように、軽量、かつ錆びにくいアルミニウム材を用いて、竪押縁２ａおよび横押縁２ｂの屋外側の見付面２０の全域およびパネルＰ側（内周側）の見込面２１の全域にわたる範囲を覆う形状として形成されている。具体的には、互いに、両端を竪押縁２ａおよび横押縁２ｂの両端と同じ角度で斜めに切断して形成されていると共に、竪押縁２ａおよび横押縁２ｂと同じ長さおよび同じ幅とし、且つ同じ断面Ｌ型に形成されている。このような、竪カバー材３ａおよび横カバー材３ｂは、それぞれ対応する竪押縁２ａおよび横押縁２ｂの見付面２０と正対させて、この見付面２０に対して複数のビス２ｅによって固定して配置されている。また、竪カバー材３ａおよび横カバー材３ｂは、見付面２０との間に隙間Ｓを設けて固定されており、竪カバー材３ａおよび横カバー材３ｂの熱を直接見付面２０に伝達させないようにできると共に、隙間Ｓを放熱空間として機能させることができる。
【００１８】
すなわち、アルミニウム製のカバー材３で押縁２の見付面２０の全域および見込面２１の全域を覆っているので、熱変形しようとする押縁２をカバー材３で抑えることによって、押縁２の熱変形を抑制することができる。さらに、カバー材３が高い放熱性を有するアルミニウム製であるので、その放熱性による押縁２自体の温度上昇を抑制することができ、これによって押縁２の熱変形を抑制することができる。しかも、隙間Ｓによって直接的な熱伝達を防ぐことができると共に、カバー材３の熱を放熱することができる。
【００１９】
したがって、本実施形態による建具Ａは、断熱や結露の防止機能を保持した上で、直射日光や外気温によって熱変形しやすい押縁２の熱変形を抑制できる。そして、押縁２の熱変形を抑制することによって、建具Ａの構造的な不具合を防止することができると共に、良好なデザインを長期にわたって維持できる。
【００２０】
［カバー材の第１の変形例］
次に、カバー材３の第１の変形例について、図４に基づいて説明する。本変形例のカバー材３は、押縁２の見込面２１から見付面２０を経て枠１との境部Ａ２を跨いで枠１の見付面１０の中途にわたる範囲を覆うように形成されている。
【００２１】
第１の変形例のカバー材３によると、アルミニウム製のカバー材３で、押縁２の見付面２０の全域および見込面２１の全域、並びに枠１の見付面１０の中途にわたる範囲を覆っているため、押縁２の見付面２０および見込面２１ばかりでなく、枠１の見付面１０の一部を含んだより広い範囲で放熱することができる。
【００２２】
すなわち、カバー材３で覆われていない見付面１０の温度が上昇した場合でも、広い放熱範囲によって、枠１の温度上昇を抑制することができると共に、枠１から押縁２への熱伝導を抑制することができる。したがって、より高い放熱性の向上が期待できると共に、押縁２および枠１の温度上昇の抑制および押縁２および枠１の熱変形の抑制についてより高い効果が期待できる。
【００２３】
［カバー材の第２の変形例］
次に、カバー材の第２の変形例について、図５に基づいて説明する。本変形例のカバー材３は、押縁２の見込面２１から見付面２０を経て枠１との境部Ａ２を跨いで枠１の見付面１０の全域にわたる範囲を覆うように形成され、枠１の見付面１０に対して複数のビス２ｅによって固定されている。
【００２４】
第２の変形例のカバー材３によると、アルミニウム製のカバー材３で、押縁２の見付面２０の全域および見込面２１の全域、並びに枠１の見付面１０の全域を覆っているため、押縁２の見付面２０および見込面２１ばかりでなく、枠１の見付面１０の全域を含んだより広い範囲で放熱することができる。
【００２５】
すなわち、カバー材３で覆われていない水切り部１ｃの温度が上昇した場合でも、広い放熱範囲によって、枠１の温度上昇を抑制することができると共に、枠１から押縁２への熱伝導を抑制することができる。したがって、より高い放熱性の向上が期待できると共に、押縁２および枠１の温度上昇の抑制および押縁２および枠１の熱変形の抑制についてより高い効果が期待できる。しかも、枠１とカバー材３との境目が目立たず、屋外側から視覚される建具Ａのデザイン性の向上についても期待できる。
【００２６】
［カバー材の第３の変形例］
次に、カバー材の第３の変形例について、図６に基づいて説明する。本変形例のカバー材３は、押縁２の見込面２１から見付面２０を経て枠１との境部Ａ２を跨いで水切り部１ｃの見付面１１にわたる範囲を覆うように形成されており、見付面１１および水切り面１２に対して複数のビス２ｅによって固定されている。すなわち、変形例３のカバー材３は、建具Ａにおける屋外側に露出する枠１の面の全域および押縁２の面の全域を覆っている。
【００２７】
第３の変形例のカバー材３によると、アルミニウム製のカバー材３で、建具Ａにおける屋外側に露出する枠１の面の全域および押縁２の面の全域を覆っているため、押縁２の見付面２０および見込面２１ばかりでなく、枠１の見付面１０および水切り部１ｃの全域を含んだより広い範囲で放熱することができる。すなわち、より高い放熱性が期待できると共に、枠１および押縁２とカバー材３との境目がないため、屋外側から視覚される建具Ａのデザイン性の向上についても効果的である。
【００２８】
［建具の変形例]  
次に、建具Ａの変形例について図７〜図１１に基づいて説明する。本変形例の建具Ａは、建具Ａのコーナー部Ａ１を覆うコーナーカバー４を備えたものである。本変形例の建具Ａにおける押縁２の竪押縁２ａと横押縁２ｂは、左右のコーナー側端部２０ａ、２０ｂを直角に切断して形成され、竪押縁２ａおよび横押縁２ｂを枠１に取り付けたときに、コーナー部Ａ１における竪押縁２ａのコーナー側端部２０ａと横押縁２ｂのコーナー側端部２０ｂとの間に、コーナーカバー４が嵌合される嵌合空間Ａ１０を確保できる長さとして形成されている。嵌合空間Ａ１０は、図８および図１０に示すように、押縁２の見付面２０側が開放されており、この見付面側から見込方向にコーナーカバー４を嵌合できるようにされている。
【００２９】
竪カバー材３ａおよび横カバー材３ｂは、図７および図８に示すように、竪押縁２ａおよび横押縁２ｂの屋外側の見付面２０の全域およびパネルＰ側（内周側）の見込面２１の全域にわたる範囲、並びに横枠１ｂの見付面１０の中途に至る範囲を覆う同じ断面Ｌ型に形成されている。竪カバー材３ａおよび横カバー材３ｂのコーナー側端部３０ａ、３０ｂは、竪押縁２ａおよび横押縁２ｂのコーナー側端部２０ａ、２０ｂとともに、コーナーカバー４によって覆われている。
【００３０】
コーナーカバー４は、図１１に示すように、覆い板４ａと、係合体４ｂと、弾性体４ｃとを一体に備えて形成されている。覆い板４ａは、図８および図１０に示すように、嵌合空間Ａ１０の開放部Ａ１０１を塞ぐように覆うと共に、竪カバー材３ａおよび横カバー材３ｂのコーナー側端部３０ａ、３０ｂを見付面側から覆うことができる形状として形成されている。
【００３１】
係合体４ｂは、図８および図９並びに図１１に示すように、竪枠１ａと横枠１ｂの支持縁部１ｅに接触して支持される凸面部４０ｂと凸面部４１ｂとを有してＬ型状に形成されていると共に、見込方向に突設されており、嵌合空間Ａ１０内において支持縁部１ｅとパネルＰの見込面Ｐ２の間に位置するようにされている。また、凸面部４０ｂと凸面部４１ｂの支持縁部１ｅの面のそれぞれには、コーナー部Ａ１において枠１の嵌合凹部１ｆに嵌合する嵌合突起４０が形成されている。
【００３２】
弾性体４ｃは、図８および図９並びに図１１に示すように、竪枠１ａ側の凸面部４０ｂの先端に設けられた板バネ４０ｃと、横枠１ｂ側の凸面部４１ｂの先端に設けられた板バネ４１ｃとから構成されている。板バネ４０ｃおよび板バネ４１ｃは、一端側が凸面部４０ｂおよび凸面部４１ｂの先端側に固定された片持ち構造のものであり、パネルＰの見込面Ｐ２と対向して接触すると共に、見込面Ｐ２に対して押し付ける方向へ付勢力が作用するようにされている。
【００３３】
弾性体４ｃは、板バネ構造に限らず、スポンジ材やゴム材等の弾性を有する樹脂を用いて構成してもよい。
【００３４】
このようなコーナーカバー４は、枠１への押縁２およびカバー材３の取付け後に枠１に取り付けることができる。具体的には、図１０に示すように、係合体４ｂを、凸面部４０ｂが竪枠１ａ側の支持縁部１ｅと対面すると共に、凸面部４１ｂを横枠１ｂ側の支持縁部１ｅと対面するように位置させて、開放部Ａ１０１から見込方向に沿って嵌合空間Ａ１０に押し込む。
【００３５】
係合体４ｂが押し込まれると、図７および図８並びに図１０に示すように、覆い板４ａが嵌合空間Ａ１０の開放部Ａ１０１を覆うと共に、竪カバー材３ａおよび横カバー材３ｂのコーナー側端部３０ａ、３０ｂを覆い、これにより、コーナー部Ａ１において嵌合空間Ａ１０およびコーナー側端部３０ａ、３０ｂを隠すことができる。
【００３６】
また、係合体４ｂが押し込まれたときには、図８および図９に示すように、嵌合突起４０が嵌合凹部１ｆに嵌合し、しかも、板バネ４０ｃおよび板バネ４１ｃが、付勢力によってパネルＰの見込面Ｐ２に対して押し付られると共に、この付勢力の反力が凸面部４０ｂおよび凸面部４１ｂを、それぞれ対応する支持縁部１ｅに押し付ける力として作用することになる。すなわち、嵌合凹部１ｆに対する嵌合突起４０の嵌合と、板バネ４０ｃおよび板バネ４１ｃの付勢力および付勢力の反力とによって、係合体４ｂの嵌合状態を保持することができるため、ビス等の固着手段を用いることなくコーナーカバー４を取り付けることができる。
【００３７】
さらに、カバー材３によって押縁２を覆うと共に、コーナーカバー４によって開放されたコーナー部Ａ１を覆っているので、枠１および押縁２の熱変形を抑制した上で、建具Ａの外観品質を向上させることができる。
【００３８】
したがって、本変形例による建具Ａは、断熱や結露の防止機能を保持した上で、直射日光や外気温によって熱変形しやすい押縁２の熱変形を抑制できる。そして、押縁２の熱変形を抑制することによって、建具Ａの構造的な不具合を防止することができると共に、良好なデザインを長期にわたって維持できる。
【００３９】
以上、本発明に係る実施形態の建具を、図面を参照して詳述してきたが、具体的な構成は、これらの実施の形態に限られるものではなく、本発明の要旨を逸脱しない範囲の設計の変更等があっても本発明に含まれる。
【００４０】
また、前述の各実施形態は、その目的および構成等に特に矛盾や問題がない限り、互いの技術を流用して組み合わせることが可能である。
【符号の説明】
【００４１】
Ａ：建具
Ａ１：コーナー部
Ａ２：境部
Ａ１０：嵌合空間
Ａ１０１：開放部
Ｂ：躯体
Ｂ１：開口
Ｐ：パネル
Ｐ１：見付面
Ｐ２：見込面
Ｐ３：見付面
１：枠
１０：見付面
１１：見付面
１２：水切り面
１００：ビード
１０１：セッティングブロック
１ａ：竪枠
１ｂ：横枠
１ｃ：水切り部
１ｄ：支持面部
１ｅ：支持縁部
１ｆ：嵌合凹部
２：押縁
２０：見付面
２１：見込面
２ａ：竪押縁
２ｂ：横押縁
２ｃ：嵌合凸部
２ｄ：ヒレ部
２ｅ：ビス
２０ａ：コーナー側端部
２０ｂ：コーナー側端部
３：カバー材
３ａ：竪カバー材
３ｂ：横カバー材
３０ａ：コーナー側端部
３０ｂ：コーナー側端部
４：コーナーカバー
４ａ：覆い板
４ｂ：係合体
４ｃ：弾性体
４０ｂ：凸面部
４１ｂ：凸面部
４０ｃ：板バネ
４１ｃ：板バネ
４０：嵌合突起
【図１】
2020197073.tif 000003
【図２】
2020197073.tif 000004
【図３】
2020197073.tif 000005
【図４】
2020197073.tif 000006
【図５】
2020197073.tif 000007
【図６】
2020197073.tif 000008
【図７】
2020197073.tif 000009
【図８】
2020197073.tif 000010
【図９】
2020197073.tif 000011
【図１０】
2020197073.tif 000012
【図１１】
2020197073.tif 000013